(57)【特許請求の範囲】
【請求項１】
水平方向に配置され、その一部に切り欠き部分が形成されている中空の手すり体と、前記切り欠き部分を埋める状態で配置されるとともに、手すり体の内部に連通する状態で手すり体に対して回動自在に連結される吐出管とを備えたことを特徴とする手すり型水栓装置。
【請求項２】
前記手すり体の内部に配置され、水導入管からの水および湯導入管からの湯を任意の比に混合する混合手段を備えた請求項１に記載の手すり型水栓装置。
【請求項３】
前記手すり体に内部が連通する状態で連設され、下流部にシャワー散水口を有するシャワー装置と、前記手すり体に設けられ、前記混合手段により任意の比に混合された湯水を、前記吐出管に供給する状態またはシャワー装置に供給する状態に切り換える切換手段とを備えた請求項２に記載の手すり型水栓装置。
【請求項４】
前記シャワー装置が、前記手すり体に連通する中空の手すりとして形成されており、その胴部に前記シャワー散水口を有している請求項３に記載の手すり型水栓装置。
【発明の詳細な説明】
【０００１】
【発明の属する技術分野】
本発明は、例えば、浴室、シャワールームなどに設けられる手すり型水栓装置に関する。
【０００２】
【従来の技術】
本出願人は、浴室、シャワールーム内に、スペースをできるだけとらずに手すりの設置を可能とする手すりを備えた水栓装置を開発中である（特願２００１−２０３９１４の明細書および図面参照）。すなわち、前記水栓装置は、水栓と、この水栓よりも高い位置に設けたパイプ製の手すりと、前記水栓および前記手すりの内部を連通させる連通部材とで構成されており、このような構成により、水栓および手すりの設置スペースを小さくし、浴室、シャワールーム内をより広く使用することが可能となる。
【０００３】
【発明が解決しようとする課題】
しかし、上記の水栓装置では、水栓と手すりとを別体に形成し、両者を連通部材を介して接続していたのであり、まだ十分な省スペース化が達成されていなかった。
【０００４】
本発明は上述の事柄に留意してなされたもので、その目的は、省スペース化の面で非常に優れた手すり型水栓装置を提供することである。
【０００５】
【課題を解決するための手段】
上記目的を達成するために、本発明の手すり型水栓装置は、水平方向に配置され、その一部に切り欠き部分が形成されている中空の手すり体と、前記切り欠き部分を埋める状態で配置されるとともに、手すり体の内部に連通する状態で手すり体に対して回動自在に連結される吐出管とを備えた（請求項１）。
【０００６】
また、前記手すり体の内部に配置され、水導入管からの水および湯導入管からの湯を任意の比に混合する混合手段を備えたとしてもよい（請求項２）。
【０００７】
さらに、前記手すり体に内部が連通する状態で連設され、下流部にシャワー散水口を有するシャワー装置と、前記手すり体に設けられ、前記混合手段により任意の比に混合された湯水を、前記吐出管に供給する状態またはシャワー装置に供給する状態に切り換える切換手段とを備えたとしてもよい（請求項３）。
【０００８】
また、前記シャワー装置が、前記手すり体に連通する中空の手すりとして形成されており、その胴部に前記シャワー散水口を有しているとしてもよい（請求項４）。
【０００９】
上記の構成により、省スペース化の面で非常に優れた手すり型水栓装置を提供することが可能となる。
【００１０】
【発明の実施の形態】
以下、この発明の実施例を、図を参照しながら説明する。
図１は、本発明の一実施例に係る手すり型水栓装置（以下、水栓装置という）Ｄの構成を概略的に示す斜視図、図２は、前記水栓装置Ｄの要部の構成を概略的に示す説明図である。
水栓装置Ｄは、水平方向に配置され、その一部に切り欠き部分１が形成されている中空の手すり体２と、前記切り欠き部分１を埋める状態で配置されるとともに、手すり体１の内部に連通する状態で手すり体２に対して回動自在に連結される吐出管３と、前記手すり体２の内部に配置され、水導入管４からの水および湯導入管５からの湯を任意の比に混合する混合手段６と、前記手すり体２に内部が連通する状態で連設され、下流部にシャワー散水口７を有するシャワー装置８と、前記手すり体２に設けられ、前記混合手段６により任意の比に混合された湯水を、前記吐出管３に供給する状態またはシャワー装置８に供給する状態に切り換える切換手段９とを備えている。
【００１１】
前記手すり体２は、例えばパイプからなるほぼ直線状の手すりであり、２つの取付部材１０，１１を介して壁面に沿って取り付けられている。
【００１２】
そして、前記手すり体２の長さ方向における一部のほぼ下側半分が切り欠かれ、前記切り欠き部分１が形成されている。
【００１３】
前記吐出管３は、内部に湯水の通路１２ａを有し、前記切り欠き部分１とほぼ一致する形状（切り欠き部分１をほぼ隙間無く埋め、かつ切り欠き部分１よりも外方にほとんどはみ出さない形状）をした吐出管本体１２と、この吐出管本体１２の一端側（上流端側）に接続される接続部材１３とを備えている。
【００１４】
前記吐出管本体１２は、その他端側（下流端側）に、下方に向いた吐出口１４を有しているとともに、この吐出口１４の真上の位置に、前記通路１２ａ内を流れてきた湯水を整流するための整流部材１２ｂを内蔵している。そして、吐出管本体１２の吐出口１４は、下方に突出せず、他の部分と面一となるように構成されている。
【００１５】
前記接続部材１３は、上方が閉塞されたほぼ円筒状の部材であり、前記手すり体２の内部に設けられた湯水導入室１５を上下に挿通し、かつ挿通した状態でその軸まわりに回動自在となるように構成されている。また、前記接続部材１３は、その胴部に湯水取入口１３ａを有しており、湯水導入室１５内で接続部材１３の周囲にある湯水がこの湯水取入口１３ａから接続部材１３の内部へと至った後、前記吐出管本体１２の通路１２ａへと導かれるように構成されている。
【００１６】
上記の構成からなる前記吐出管３は、その一端側（上流端側）に設けられた前記接続部材１３が、手すり体２に対して上下方向の軸まわりに回動可能に接続されており、このような構成により、前記手すり体２に沿うように配置され、切り欠き部分１を埋めることとなる収納状態と、前記手すり体２から手前側に引き出され、前記吐出口１４から湯水を吐出させて使用する場合に特に適する引き出し状態とに自在に回動させることが可能となっているのである。
【００１７】
前記水導入管４および湯導入管５はそれぞれ、壁の背面側に位置する水配管および湯配管からの湯水を前記手すり体２内へと導入するためのものである。
【００１８】
前記混合手段６は、前記吐出管３またはシャワー装置８から吐出させる湯水の温度を設定するための温度設定手段（例えば、温度設定ハンドル）１６と、この温度設定手段１６により設定した温度に対応した湯水の混合を行わせるための自動温度調節機能を有する温度調整ユニット１７とを備えている。
【００１９】
前記温度設定手段１６は、例えば、前記手すり体２の一端部に形成されている。
【００２０】
前記温度調整ユニット１７は、前記水導入管４からの水および湯導入管５からの湯を混合するための混合室（図示せず）と、この混合室内において混合された湯水の温度に影響を受けて膨張・収縮するワックス（図示せず）を収容し、このワックスの膨張・収縮に伴って伸縮するサーモエレメント１７ａと、このサーモエレメント１７ａの伸縮に伴って移動し、移動することによって、前記混合室の異なる箇所に設けられた前記水導入管４に連通する連通口および前記湯導入管５に連通する連通口（ともに図示せず）を閉塞する割合が変化する弁体（図示せず）とを備え、前記弁体による２つの連通口を閉塞する割合の変化に伴って、前記混合室への水導入管４および湯導入管５からの湯水の導入流量の比率が変化し、これにより、混合室内において混合される湯水の温度が変化するように構成してある。
【００２１】
上記の構成からなる温度調整ユニット１７では、前記混合室内において混合された湯水の温度が、前記温度設定手段１７により設定した温度に対応する温度となっていない場合には、前記混合室内における湯水の温度の影響を受けて前記ワックスが膨張・収縮し、サーモエレメント１７ａが伸縮し、さらには前記弁体が移動するのであり、この移動に伴って、前記水導入管４からの水および湯導入管５からの湯の前記混合室内への導入流量の比率が変化し、混合室内で混合される湯水の温度が前記温度設定手段１６により設定された温度に対応する温度に近づき、最終的に一致することとなる。
【００２２】
前記シャワー装置８は、前記手すり体２に連通する中空の手すりとして形成されており、その胴部に前記シャワー散水口７を有している。また、前記シャワー装置８は、例えばパイプからなるほぼ直線状の手すりであり、２つの取付部材１８，１９を介して壁面に沿って上下方向に取り付けられている。
【００２３】
前記切換手段９は、前記手すり体２の軸まわりに回動自在に設けられた切換ハンドル２０と、この切換ハンドル２０の回動に伴って同じく前記手すり体２の軸まわりに回動するほぼ円筒状の筒部材２１と、この筒部材２１の一端側に設けられ、前記筒部材２１の内部に連通する第１連通口（図示せず）および前記シャワー装置８の内部に連通する第２連通口（図示せず）を有する回動部材２２と、前記温度調整ユニット１７の混合室に連通する連通路（図示せず）を有する連通路形成体２３とを備えている。
【００２４】
そして、上記の構成からなる切換手段９では、前記切換ハンドル２０を回動操作することにより、前記連通路形成体２３の連通路に対して、前記回動部材２２の第１連通口または第２連通路のいずれか一方が連通する状態となるか、あるいは両方とも連通しない状態となるのである。ここで、前記連通路形成体２３の連通路に対して第１連通口が連通した場合には、前記温度調整ユニット１７の混合室内にて混合された湯水は、前記筒部材２１内を通って前記湯水導入室１５内に至り、その後、前記吐出管３の吐出口１４から外部へと吐出されることとなる。また、前記連通路形成体２３の連通路に対して第２連通口が連通した場合には、前記温度調整ユニット１７の混合室内にて混合された湯水は、前記シャワー装置８内を通って前記シャワー散水口７から外部へと吐出されることとなる。また、前記連通路形成体２３の連通路に対して第１連通口および第２連通口のいずれもが連通しない場合には、前記温度調整ユニット１７の混合室内にて混合された湯水は、外部へと吐出されることなく、止水された状態となる。
【００２５】
さらに、前記連通路形成体２３の連通路に対して第１連通口および第２連通口が連通する度合いもそれぞれ、前記切換ハンドル２０の回動操作によって調整でき、この調整により、前記吐水管３およびシャワー散水口７から吐出される湯水の流量を調整することも可能となっている。
【００２６】
また、前記水栓装置Ｄでは、手すり体２、吐出管３およびシャワー装置８の外面は、例えば、シリコン系のゴム材や軟質塩化ビニール等の樹脂よりなる半硬質部材からなる柔軟性をもったスベリ止め部材により覆われているとともに、前記手すり体２およびシャワー装置８の握り径（外径）は、規格に合った例えば３４ｍｍに設定され、しっかり握れるように構成されている。もちろん、前記吐出管３も、前記収納状態としたときには、しっかり握れるように構成された前記手すり体２の一部を形成するように構成されている。
【００２７】
上記の構成からなる水栓装置Ｄでは、水栓と手すりとの一体化を達成していることから、水栓と手すりとを別体に形成し、両者を連通部材を介して接続していた従来の水栓装置に比して、省スペース化の面で非常に優れたものとなる。
【００２８】
なお、上記実施例では、前記シャワー装置８として手すりを形成するものを挙げているが、このような構成に限るものではなく、例えば、シャワーホースと、このシャワーホースの下流端に接続され、シャワー散水口を有するシャワーヘッドとを備えた一般的なシャワー装置を前記シャワー装置８として採用してもよい。
【００２９】
【発明の効果】
上記の構成からなる本発明によれば、省スペース化の面で非常に優れた手すり型水栓装置を提供することができる。
【図面の簡単な説明】
【図１】本発明の一実施例に係る手すり型水栓装置の構成を概略的に示す斜視図である。
【図２】上記実施例における要部の構成を概略的に示す説明図である。
【符号の説明】
１…切り欠き部分、２…手すり体、３…吐出管、Ｄ…手すり型水栓装置。
【図１】
0003674924.tif 000002
【図２】
0003674924.tif 000003